(57)【特許請求の範囲】
【請求項１】
アナログ回路により音響信号のミキシングを行うアナログミキサ装置において、
操作パネル上に配置されたチャンネル（ｃｈ）ストリップであって、第１の可変抵抗器の抵抗値を制御する第１つまみと、第２の可変抵抗器の抵抗値を制御する第２つまみとが配置された第１のｃｈストリップと、
前記操作パネル上に配置された第１のｃｈストリップとほぼ同じ大きさのｃｈストリップであって、第３の可変抵抗器の抵抗値を制御する第３つまみと、第４つまみとが配置された第２のｃｈストリップと、
外部から入力する第１のアナログ信号に対し、前記第２の可変抵抗器を含むｃｈ効果回路で第１のｃｈ効果を付与し、さらに、前記第１の可変抵抗器を含むレベル制御回路でレベルを制御して出力する第１のアナログｃｈ処理回路と、
外部から入力する第２のアナログ信号をデジタル信号処理回路に送り、該デジタル信号処理回路から処理後の第２のアナログ信号を入力し、該処理後の第２のアナログ信号に対して、前記第３の可変抵抗器を含むレベル制御回路でレベルを制御して出力する第２のアナログｃｈ処理回路と、
前記第１のアナログｃｈ処理回路からの第１のアナログ信号と、前記第２のアナログｃｈ処理回路からの第２のアナログ信号とを混合して、アナログ混合信号を出力する混合バスと、
前記第４つまみの操作位置を、デジタルの位置データとして検出するつまみ位置検出部とを備え、
前記デジタル信号処理回路は、
前記第２のアナログｃｈ処理回路から送られた前記第２のアナログ信号をアナログデジタル変換し、得られたデジタル信号に対して、前記第４つまみの位置データの値に応じた第２のｃｈ効果を付与する処理を施し、さらに、デジタルアナログ変換して前記第２のアナログｃｈ処理回路に対して出力するものである
ことを特徴とするアナログミキサ装置。
【請求項２】
請求項１に記載のアナログミキサ装置において、
前記第１のアナログ信号はモノラル構成であり、
前記第１のアナログｃｈ処理回路は、該モノラル構成の前記第１のアナログ信号に対して、前記第１のｃｈ効果を付与し、前記レベルの制御を行うものであり、
前記第２のアナログ信号はステレオ構成であり、
前記デジタル信号処理回路は、該ステレオ構成の前記第２のアナログ信号に対して、前記第２のｃｈ効果を付与するものであり、
前記第２のアナログｃｈ処理回路は、前記デジタル信号処理回路で第２のｃｈ効果が付与された第２のアナログ信号に対して、前記レベルの制御を行うものである
ことを特徴とするアナログミキサ装置。
【請求項３】
アナログ回路により音響信号のミキシングを行うアナログミキサ装置において、
操作パネル上に配置されたチャンネル（ｃｈ）ストリップであって、第１の可変抵抗器の抵抗値を制御する第１つまみと、第２の可変抵抗器の抵抗値を制御する第２つまみとが配置された第１のｃｈストリップと、
前記操作パネル上に配置された第１のｃｈストリップとほぼ同じ大きさのｃｈストリップであって、第３の可変抵抗器の抵抗値を制御する第３つまみと、第４つまみとが配置された第２のｃｈストリップと、
外部から入力する第１のアナログ信号に対し、前記第２の可変抵抗器を含むｃｈ効果回路で第１のｃｈ効果を付与し、さらに、前記第１の可変抵抗器を含むレベル制御回路でレベルを制御して第１の混合バスと第２の混合バスに出力する第１のアナログｃｈ処理回路と、
外部から入力する第２のアナログ信号をデジタル信号処理回路に送り、該デジタル信号処理回路から処理後の第２のアナログ信号を入力し、該処理後の第２のアナログ信号に対して、前記第３の可変抵抗器を含むレベル制御回路でレベルを制御して第１の混合バスと第２の混合バスに出力する第２のアナログｃｈ処理回路と、
前記第１のアナログｃｈ処理回路からの第１のアナログ信号と、前記第２のアナログｃｈ処理回路からの第２のアナログ信号とを混合して、第１のアナログ混合信号を出力する第１の混合バスと、
前記第１のアナログｃｈ処理回路からの第１のアナログ信号と、前記第２のアナログｃｈ処理回路からの第２のアナログ信号と、前記デジタル信号処理回路からの第３のアナログ信号とを混合して、第２のアナログ混合信号を出力する第２の混合バスと、
前記第４つまみの操作位置を、デジタルの位置データとして検出するつまみ位置検出部とを備え、
前記デジタル信号処理回路は、ｃｈ効果付与処理とシステム効果付与処理とを時分割で行うデジタル信号処理回路であり、
前記ｃｈ効果付与処理は、前記第２のアナログｃｈ処理回路から送られた前記第２のアナログ信号をアナログデジタル変換し、得られたデジタル信号に対して、前記第４つまみの位置データの値に応じた第２のｃｈ効果を付与する処理を施し、さらに、デジタルアナログ変換して前記第２のアナログｃｈ処理回路に対して出力する処理であり、
前記システム効果付与処理は、前記第１の混合バスから入力する第１のアナログ混合信号をアナログデジタル変換し、得られたデジタル信号に対して、システム効果を付与する処理を施し、さらに、デジタルアナログ変換して前記第２の混合バスに対して前記第３のアナログ信号として出力する処理である
ことを特徴とするアナログミキサ装置。
【請求項４】
請求項１から３の何れか１つに記載のアナログミキサ装置において、
前記デジタル信号処理回路で付与する前記第２のｃｈ効果は、前記第１のｃｈ効果より信号処理のアルゴリズム的に複雑な効果であることを特徴とするアナログミキサ装置。
【発明の詳細な説明】
【技術分野】
【０００１】
この発明は、アナログミキサ装置に関し、詳しくは、ミキサの一部のｃｈストリップに係る信号処理はアナログ回路で行い、他の一部のｃｈストリップでは、アナログ回路とデジタル回路の両方を用いた信号処理を行うようにしたアナログミキサ装置に関する。
【背景技術】
【０００２】
従来より、デジタルエフェクタを内蔵したアナログミキサが知られている（例えば非特許文献１参照）。該アナログミキサは、複数のアナログ入力チャンネル（ｃｈ）を備え、各アナログ入力ｃｈは、コンプレッサ回路、イコライザ回路、フェーダ回路、及び送出回路等の複数のアナログ回路ブロックを備えている。各アナログ入力ｃｈに入力したアナログ信号は、それぞれ、動的振幅特性がコンプレッサ回路により制御され、周波数特性がイコライザ回路により制御され、静的振幅特性がフェーダ回路及び送出回路により調整され、ステレオバス、ＭＩＸバス、及び、エフェクタ用バスに供給される。
【０００３】
ステレオバス、及び、ＭＩＸバスは、それぞれ、供給されたアナログ信号を混合し、該混合されたアナログ信号を、対応するアナログ出力ｃｈに出力する。
【０００４】
エフェクタ用バスで混合されたアナログ信号は、ＡＤ変換器でデジタル信号に変換され、ＤＳＰ（デジタル信号処理装置）に入力される。ＤＳＰは、該デジタル信号に対してシステム効果を付与する処理を施す。システム効果とは、各ｃｈ個別の信号にそれぞれ付与する効果（エフェクト）ではなく、エフェクタ用バス上で混合された信号に対して付与する、言わばミキサ全体としての効果を言う。システム効果が付与されたデジタル信号は、ＤＡ変換器でアナログ信号に変換され、エフェクタ入力ｃｈに入力される。エフェクタ入力ｃｈでは、入力されたアナログ信号の静的振幅特性が、アナログのフェーダ回路及び送出回路等により調整され、調整後のアナログ信号がステレオバス及びＭＩＸバスに供給される。
【０００５】
また、アナログミキサには、入力ｃｈへの外部エフェクタの挿入が可能なものがある。これは、複数のアナログ回路ブロックのブロック間のつなぎ目の位置に、外部のエフェクタを挿入し、その位置から取り出した信号に外部エフェクタで効果を付与し、再びその位置に戻すものである。
【０００６】
一方、音響信号処理装置として用いる半導体集積回路として、例えば特許文献１に記載されているような１チップ内にＣＰＵ、ＤＳＰ、内部ＲＡＭ、波形Ｉ／Ｏ、及び操作子Ｉ／Ｏなどを搭載したものが知られている。
【先行技術文献】
【特許文献】
【０００７】
【特許文献１】特開２００７−２５８７８０
【非特許文献】
【０００８】
【非特許文献１】「MIXING CONSOLE MG124CX 取扱説明書」、２００６年、ヤマハ株式会社
【発明の概要】
【発明が解決しようとする課題】
【０００９】
従来のアナログミキサの各アナログ入力ｃｈにおける処理のうち、レベル制御（静的振幅特性の制御）に関しては、単にバス数分のレベル制御を行っているだけであり、余り拡張の余地がない。一方、各ｃｈ毎のｃｈ効果の付与（動的振幅特性や周波数特性の制御）に関しては、いくらでも高度化・複雑化することができる。
【００１０】
しかしながら、各アナログ入力ｃｈのｃｈ効果回路（コンプレッサ回路やイコライザ回路等）はアナログ回路で構成されているので、信号処理のアルゴリズム的により高度・複雑なｃｈ効果の付与を行おうとすると、回路が大規模化して実装面積が増えてしまうという問題があった。ここで、より高度・複雑なｃｈ効果は、他のｃｈで行うことのできない動的振幅特性の制御や、周波数特性の制御を行えるようにするものである。例えば、動的振幅特性の制御であれば、並列に周波数帯域別に制御できるようにしたり、複数の異なる制御を続けて行うようにしてもよい。また、周波数特性の制御であれば、制御するバンド数を増やしたり、一部のバンドの周波数やQを制御できるようにしてもよい。アナログミキサにおけるアナログ入力ｃｈの回路ブロックは、操作パネルの対応するｃｈストリップに配置された操作つまみと直結されており、実装面積が増えると操作つまみを配置しきれなくなったり、小型化された特殊なパーツが必要になったり、プリント基板上の配線を細くして無理に引き回さなければならないという問題があった。
【００１１】
また、ある入力ｃｈに外部エフェクタを挿入した場合、その外部エフェクタによりその入力ｃｈのアナログ信号に対して付与されるｃｈ効果を制御したければ、その入力ｃｈのｃｈストリップではなく、外部エフェクタの操作パネルを操作せねばならず、操作が煩雑であった。
【００１２】
さらに、モノラル入力ｃｈのｃｈストリップとステレオ入力ｃｈのｃｈストリップとが操作パネル上に並べて配置されているケースでは、ステレオ入力ｃｈではモノラル入力ｃｈの倍の２ｃｈ分のアナログ信号を処理せねばならないため、同じ面積の基板内にモノラル入力ｃｈと同じ処理を行うアナログ回路を実装することはできず、ステレオ入力ｃｈで付与されるｃｈ効果は、モノラル入力ｃｈで付与されるｃｈ効果より見劣りするものとなっていた。また、その結果として、ステレオ入力ｃｈのｃｈストリップは、モノラル入力ｃｈのｃｈストリップに比べて、配置されるつまみやボタンの数が少なくなる傾向があった。
【００１３】
一方、ＤＳＰを搭載したアナログミキサでは、半導体技術の進歩によりＤＳＰの信号処理能力が向上しており、ＤＳＰで従来同様のデジタルエフェクタの処理を行ってもまだ余力があった。その余力をデジタルエフェクタの処理以外にも活かしたいという課題があった。
【００１４】
本発明の目的は、アナログミキサ装置において、上述の実装上の問題を解決しつつ、より高度化・複雑化されたｃｈ効果の付与を可能とすること、及び、デジタルエフェクタ用に搭載されたＤＳＰを有効利用できるようにすることにある。
【課題を解決するための手段】
【００１５】
上記目的を達成するため、請求項１に係る発明は、アナログ回路により音響信号のミキシングを行うアナログミキサ装置において、操作パネル上に配置されたチャンネル（ｃｈ）ストリップであって、第１の可変抵抗器の抵抗値を制御する第１つまみと、第２の可変抵抗器の抵抗値を制御する第２つまみとが配置された第１のｃｈストリップと、前記操作パネル上に配置された第１のｃｈストリップとほぼ同じ大きさのｃｈストリップであって、第３の可変抵抗器の抵抗値を制御する第３つまみと、第４つまみとが配置された第２のｃｈストリップと、外部から入力する第１のアナログ信号に対し、前記第２の可変抵抗器を含むｃｈ効果回路で第１のｃｈ効果を付与し、さらに、前記第１の可変抵抗器を含むレベル制御回路でレベルを制御して出力する第１のアナログｃｈ処理回路と、外部から入力する第２のアナログ信号をデジタル信号処理回路に送り、該デジタル信号処理回路から処理後の第２のアナログ信号を入力し、該処理後の第２のアナログ信号に対して、前記第３の可変抵抗器を含むレベル制御回路でレベルを制御して出力する第２のアナログｃｈ処理回路と、前記第１のアナログｃｈ処理回路からの第１のアナログ信号と、前記第２のアナログｃｈ処理回路からの第２のアナログ信号とを混合して、アナログ混合信号を出力する混合バスと、前記第４つまみの操作位置を、デジタルの位置データとして検出するつまみ位置検出部とを備え、前記デジタル信号処理回路は、前記第２のアナログｃｈ処理回路から送られた前記第２のアナログ信号をアナログデジタル変換し、得られたデジタル信号に対して、前記第４つまみの位置データの値に応じた第２のｃｈ効果を付与する処理を施し、さらに、デジタルアナログ変換して前記第２のアナログｃｈ処理回路に対して出力するものであることを特徴とする。
【００１６】
請求項２に係る発明は、請求項１に記載のアナログミキサ装置において、前記第１のアナログ信号はモノラル構成であり、前記第１のアナログｃｈ処理回路は、該モノラル構成の前記第１のアナログ信号に対して、前記第１のｃｈ効果を付与し、前記レベルの制御を行うものであり、前記第２のアナログ信号はステレオ構成であり、前記デジタル信号処理回路は、該ステレオ構成の前記第２のアナログ信号に対して、前記第２のｃｈ効果を付与するものであり、前記第２のアナログｃｈ処理回路は、前記デジタル信号処理回路で第２のｃｈ効果が付与された第２のアナログ信号に対して、前記レベルの制御を行うものであることを特徴とする。
【００１７】
請求項３に係る発明は、アナログ回路により音響信号のミキシングを行うアナログミキサ装置において、操作パネル上に配置されたチャンネル（ｃｈ）ストリップであって、第１の可変抵抗器の抵抗値を制御する第１つまみと、第２の可変抵抗器の抵抗値を制御する第２つまみとが配置された第１のｃｈストリップと、前記操作パネル上に配置された第１のｃｈストリップとほぼ同じ大きさのｃｈストリップであって、第３の可変抵抗器の抵抗値を制御する第３つまみと、第４つまみとが配置された第２のｃｈストリップと、外部から入力する第１のアナログ信号に対し、前記第２の可変抵抗器を含むｃｈ効果回路で第１のｃｈ効果を付与し、さらに、前記第１の可変抵抗器を含むレベル制御回路でレベルを制御して第１の混合バスと第２の混合バスに出力する第１のアナログｃｈ処理回路と、外部から入力する第２のアナログ信号をデジタル信号処理回路に送り、該デジタル信号処理回路から処理後の第２のアナログ信号を入力し、該処理後の第２のアナログ信号に対して、前記第３の可変抵抗器を含むレベル制御回路でレベルを制御して第１の混合バスと第２の混合バスに出力する第２のアナログｃｈ処理回路と、前記第１のアナログｃｈ処理回路からの第１のアナログ信号と、前記第２のアナログｃｈ処理回路からの第２のアナログ信号とを混合して、第１のアナログ混合信号を出力する第１の混合バスと、前記第１のアナログｃｈ処理回路からの第１のアナログ信号と、前記第２のアナログｃｈ処理回路からの第２のアナログ信号と、前記デジタル信号処理回路からの第３のアナログ信号とを混合して、第２のアナログ混合信号を出力する第２の混合バスと、前記第４つまみの操作位置を、デジタルの位置データとして検出するつまみ位置検出部とを備え、前記デジタル信号処理回路は、ｃｈ効果付与処理とシステム効果付与処理とを時分割で行うデジタル信号処理回路であり、前記ｃｈ効果付与処理は、前記第２のアナログｃｈ処理回路から送られた前記第２のアナログ信号をアナログデジタル変換し、得られたデジタル信号に対して、前記第４つまみの位置データの値に応じた第２のｃｈ効果を付与する処理を施し、さらに、デジタルアナログ変換して前記第２のアナログｃｈ処理回路に対して出力する処理であり、前記システム効果付与処理は、前記第１の混合バスから入力する第１のアナログ混合信号をアナログデジタル変換し、得られたデジタル信号に対して、システム効果を付与する処理を施し、さらに、デジタルアナログ変換して前記第２の混合バスに対して前記第３のアナログ信号として出力する処理であることを特徴とする。
【００１８】
請求項４に係る発明は、請求項１から３の何れか１つに記載のアナログミキサ装置において、前記デジタル信号処理回路で付与する前記第２のｃｈ効果は、前記第１のｃｈ効果より信号処理のアルゴリズム的に複雑な効果であることを特徴とする。
【発明の効果】
【００１９】
本発明によれば、入力した第２のアナログ信号に対する第２のｃｈ効果の付与をデジタル処理で行い、その調整を行う第４つまみをｃｈストリップ上に配置している。この場合、デジタル値を入力する第４つまみさえ第２のアナログｃｈ処理回路と同じプリント基板に近接して配置されていればよく、デジタル信号処理回路については、同じプリント基板上の離れた場所、ないし、別のプリント基板上に配置してよい。従って、プリント基板上への実装に関する問題が解消された上で、第２のアナログ信号に対する第２のｃｈ効果の調整を、アナログ回路でのｃｈ効果の調整に使用するｃｈストリップとほとんど同じ大きさのｃｈストリップ上の第４つまみで行うことができる。
【００２０】
第２のアナログ信号をステレオ構成とすることで、モノラル構成の第１のアナログ信号へ付与する第１の効果に比べて見劣りしない第２のｃｈ効果を付与することができる。
【００２１】
さらに、第２のｃｈ効果を付与するデジタル信号処理回路は、従来のアナログミキサに搭載されていたシステム効果付与のためのＤＳＰの余力を利用して実現できるので、少しの回路（ｃｈ効果用のＡＤ変換器とＤＡ変換器）を加えるだけで実現することができる。また、第２のｃｈ効果は、アナログ処理の第１のｃｈ効果よりも高度化・複雑化されたものとすることができる。
【図面の簡単な説明】
【００２２】
【図１】この発明を適用した一実施形態であるミキシングシステムの全体構成図
【図２】アナログ回路ブロック及びデジタル回路ブロックの全体図
【図３】プリント基板上における入力ｃｈの各回路ブロックの実装面積の概要と、つまみ＆スイッチとの対応図
【図４】デジタル回路ブロックの詳細な構成図
【図５】ｃｈ効果処理の詳細を示すブロック図
【図６】デジタル回路ブロックのメイン処理の流れを示すフローチャート
【発明を実施するための形態】
【００２３】
以下、図面を用いて本発明の実施の形態を説明する。
【００２４】
図１は、この発明を適用した一実施形態であるアナログミキサ装置の操作パネル１００の外観を示す。
【００２５】
１０１−１〜１０１−ｎは、複数（ｎ個）のモノラル入力ｃｈにそれぞれ対応するｃｈストリップを示す。不図示だが、操作パネル上あるいは装置の背面などには、これらのｃｈストリップ１０１−１〜１０１−ｎにそれぞれ対応する入力端子が設けられている。それらの入力端子には、それぞれ、マイク、媒体プレーヤ、楽器などの各種音源を接続することができる。それらの入力端子を介して入力したアナログ音響信号に対しては、それぞれ、入力端子に対応するｃｈストリップ１０１−１〜１０１−ｎの各操作子の位置に応じた各種の調整を施すことができる。
【００２６】
１つのモノラル入力ｃｈに対応するｃｈストリップ１０１−１の操作子１１１〜１２３について説明する。なお、以下ではこのｃｈストリップ１０１−１を「Mono入力ｃｈストリップ１０１−１」と呼ぶものとする。１１０は、Mono入力ｃｈストリップ１０１−１の操作子１１１〜１２３のそれぞれの機能を簡単に示す記載である。これらの記載は、実際には、操作パネル上の対応する操作子の近傍に記載されているものであるが、図面上のスペースが足りないので、ここでは左側に出して図示した（後述する１３０と１５０の記載も同じである）。
【００２７】
Phantom_SW１１１は、対応する入力端子に接続されたマイクへ供給されるファンタム電源をオン／オフするスイッチである。pad_SW１１２は、レベルの大きな信号が入力したときにそのレベルを所定量減衰させるpad機能をオン／オフするスイッチである。１１３〜１２１は、全て可変抵抗器のつまみである。GAIN１１３はヘッドアンプのゲイン調整を、COMP１１４は音響信号のダイナミックレンジを圧縮するコンプレッサかかり具合の調整を、それぞれ行うつまみである。１１５〜１１８は、３バンドイコライザ（EQ）の調整用つまみである。この３バンドEQは、中域の周波数範囲が可変で、高域と低域の周波数範囲は固定のものである。HIGH１１５は高域のレベル調整用、MID_f１１６は中域の周波数範囲の調整用、MID１１７は中域のレベル調整用、LOW１１８は低域のレベル調整用のつまみである。AUX１１９は当該ｃｈからAUXバスに送られる信号の送出レベル調整用、EF１２０は当該ｃｈからエフェクトバス（FXバス）に送られる信号の送出レベル調整用である。PAN１２１は、当該ｃｈの信号をステレオのＬＲ間のどこに定位させるかを調整するPAN調整用つまみである。ON_SW１２２は、当該ｃｈの信号の有効／無効（オン／オフ）を切り替えるスイッチである。Fader１２３は、当該ｃｈの信号の出力レベル調整用のフェーダである。上記ではMono入力ｃｈストリップ１０１−１の操作子を説明したが、１０１−ｎまでの他のｃｈストリップも同じ構成である。
【００２８】
１０３は、ステレオ入力ｃｈに対応するｃｈストリップを示す。不図示だが、操作パネル上あるいは装置の背面などには、このｃｈストリップ１０３に対応するステレオＬＲの信号入力用の端子が設けられている。該ステレオ入力端子を介して入力したＬ側とＲ側のステレオアナログ音響信号に対して、ｃｈストリップ１０３の各操作子の位置に応じた各種の調整を施すことができる。
【００２９】
ステレオ入力ｃｈに対応するｃｈストリップ１０３の操作子１３１〜１４３について説明する。なお、以下ではこのｃｈストリップ１０３を「ST入力ｃｈストリップ１０３」と呼ぶものとする。１３０は、ST入力ｃｈストリップ１０３の操作子１３１〜１４３のそれぞれの機能を簡単に示す記載である。
【００３０】
Phantom_SW１３１、GAIN１３３、HIGH１３５、MID１３７、LOW１３８、AUX１３９、EF１４０、ON_SW１４２、及び、Fader１４３は、Mono入力ｃｈストリップ１０１−１で説明した、対応する各操作子と同様の機能を果たす操作子である。ただし、Mono入力ｃｈストリップ１０１−１の操作子はモノラルのアナログ信号を制御するためのものであるが、ST入力ｃｈストリップ１０３の操作子はステレオのＬ側のアナログ信号とＲ側のアナログ信号の両方を制御するためのものである。BAL１４１は、当該ステレオ入力ｃｈのＬ側とＲ側の音量バランスの調整用つまみである。ST入力ｃｈは、コンプレッサを備えていないので、COMP１１４に対応する操作子は無い。ST入力ｃｈのEQは、３バンドEQであるが、中域の周波数範囲も固定であるので、MID_f１１６に対応する操作子は無い。
【００３１】
１０５は、特別入力ｃｈに対応するｃｈストリップを示す。不図示だが、操作パネル上あるいは装置の背面などには、このｃｈストリップ１０５に対応する特別入力ｃｈの信号（ステレオＬＲの信号とする）入力用の端子が設けられている。該特別入力ｃｈ用の入力端子を介して入力したＬ側とＲ側のステレオアナログ音響信号に対して、ｃｈストリップ１０５の操作子により各種の調整を施すことができる。
【００３２】
特別入力ｃｈに対応するｃｈストリップ１０５の操作子１５３〜１６６について説明する。なお、以下ではこのｃｈストリップ１０５を「特別入力ｃｈストリップ１０５」と呼ぶものとする。１５０は、特別入力ｃｈストリップ１０５の操作子１５３〜１６６のそれぞれの機能を簡単に示す記載である。
【００３３】
GAIN１５３は、ST入力ｃｈ１０３のGAIN１３３と同様の、ヘッドアンプのゲイン調整用のつまみである。特別入力ｃｈでは、ゲイン調整後のアナログ信号をＡＤ変換してデジタル信号とし、デジタル処理で効果付与（後述するｃｈ効果処理）を施す。スイッチ１６４〜１６６及びつまみ１５５〜１５８は、そのようなデジタル処理での効果付与の制御に利用する操作子である。ducker_SW１６４はダッカー（ducker）のオン／オフ、leveler_SW１６５はレベラー（leveler）のオン／オフを、それぞれ行うスイッチである。StereoImage_SW１６６は３−ポジションのスイッチであり、ステレオイメージ（Stereo Image）の選択を行う。つまみ１５５〜１５８は、デジタル処理で実現する３バンドEQの調整用のつまみであり、内部的な処理がアナログかデジタルかの違いはあるが、操作子の機能としてはMono入力ｃｈ１０１−１のつまみ１１５〜１１８と同様である。これらのデジタル処理でのｃｈ効果処理については後に詳しく説明する。
【００３４】
上述のデジタル処理でのｃｈ効果付与後のデジタル信号は、ＤＡ変換されて再びアナログ信号に戻される。AUX１５９、EF１６０、BAL１６１、ON_SW１６２、及び、Fader１６３は、該アナログ信号の調整用の操作子であり、ST入力ｃｈストリップ１０３の操作子１３９〜１４３と同様の機能を果たす操作子である。
【００３５】
１０７は、エフェクト（EF）入力ｃｈに対応するｃｈストリップを示す。上述したMono入力ｃｈ、ST入力ｃｈ、及び特別入力ｃｈからエフェクトバス（FXバス）に出力されたアナログ信号は、該FXバス上で混合される。該FXバス上で混合された信号は、後述するデジタル回路ブロック２７０において、ＡＤ変換されてデジタルの音響信号となり、デジタル処理によりシステム効果が付与される（後述するシステム効果処理）。システム効果が付与された信号（ステレオＬＲの信号）は、ＤＡ変換されて再びアナログ信号に戻され、内部的にEF入力ｃｈに入力する。該EF入力ｃｈに入力したＬ側とＲ側のステレオアナログ音響信号は、ｃｈストリップ１０７の操作子により制御される。なお、以下ではこのｃｈストリップ１０７を「EF入力ｃｈストリップ１０７」と呼ぶものとする。AUX１７１は、当該EF入力ｃｈからAUXバスに送られる信号の送出レベル調整用のつまみである。ON_SW１７２は、当該EF入力ｃｈの信号の有効／無効（オン／オフ）を切り替えるスイッチである。Fader１７３は、当該EF入力ｃｈの信号の出力レベル調整用のフェーダである。
【００３６】
１０８は、ステレオ（ST）出力ｃｈに対応するｃｈストリップを示す。上述したSTバス上で混合されたステレオＬＲのアナログ信号が、該ST出力ｃｈに入力する。入力したＬ側とＲ側のステレオアナログ音響信号は、ｃｈストリップ１０８の操作子により制御される。なお、以下ではこのｃｈストリップ１０８を「ST出力ｃｈストリップ１０８」と呼ぶものとする。ON_SW１８１は、当該ST出力ｃｈの信号の有効／無効（オン／オフ）を切り替えるスイッチである。Fader１８２は、当該ST出力ｃｈの信号の出力レベル調整用のフェーダである。ST出力ｃｈの出力信号は、ステレオ出力端子に出力される。該出力端子に出力された信号は、例えばパワーアンプ経由でスピーカから放音される。
【００３７】
他の操作子１８３〜１８７について説明する。１８３は、上述のAUXバスからの出力信号のレベル調整用のつまみである。レベル調整された信号は、AUX用の出力端子経由で外部に出力される。１８４は、外部エフェクタからのリターン信号を入力してSTバスやAUXバスに送出する経路が設けられている場合に、該経路の信号のレベル調整を行うための操作子である。そのようなリターン信号を入力する経路が設けられない場合もあるので、つまみ１８４は点線で図示した。１８５〜１８７は上述のシステム効果を付与するためのデジタル処理の制御用の操作子及び表示器である。つまみ１８６は付与するシステム効果の種類（例えば、リバーブ、エコー、コーラスなど）を選択するためのつまみ、つまみ１８７は上記選択された種類のシステム効果を制御するパラメータの値を調整するためのつまみである。表示器１８５は、上記操作子１８６，１８７で選択されたシステム効果の種類と調整されるパラメータの名称と現在値を表示するための表示器である。
【００３８】
図２は、本ミキサ装置において行われる音響信号のミキシング処理のブロック図である。このミキシング処理は、アナログの回路ブロック２０１と、デジタルの回路ブロック２７０とで構成される。アナログ回路ブロック２０１内の各ブロックは、アナログ基板上にアナログ電子回路として実装され、デジタル回路ブロック２７０内の各ブロックは、デジタル基板上の電子回路ないしその電子回路内で行われるデジタル信号処理として実装される。
【００３９】
２１０はMono入力ｃｈのブロック構成を示す。ここでは１ｃｈ分の構成のみ図示したが、同様の構成のMono入力ｃｈが複数設けられている。なお、ファンタム電源をマイクに供給する回路については省略した（後述する２３０と２５０−１でも同様に省略）。Mono入力ｃｈには、所定の入力端子を介して外部からモノラルのアナログ音響信号が入力する。２１１は、必要に応じて音響信号を所定量減衰させるpad機能を実現するブロックであり、上記pad_SW１１２によりオン／オフされる。レベルが大きすぎる信号を入力する際には、ユーザがpad_SW１１２をオンして、信号を所定量減衰させ適切なレベルとすることができる。２１２は、音響信号を増幅するヘッドアンプである。上記GAIN１１３により、該ヘッドアンプでの増幅率（ゲイン）が制御される。２１３は、音響信号のダイナミックレンジを圧縮するコンプレッサ（COMP）である。上記COMP１１４により、コンプレッサのかかり具合（閾値とレベル）が制御される。２１４は、３バンドのイコライザ（EQ）である。上記HIGH１１５により音響信号の高域のレベルが、上記MID_f１１６により中域とされる周波数が、上記MID１１７により中域のレベルが、上記LOW１１８により低域のレベルが、それぞれ制御される。２１５は、必要に応じて当該入力ｃｈからの音響信号の供給を停止するオン／オフスイッチである。上記ON_SW１２２がオンの場合は、スイッチ２１５を音響信号が通過し、オフの場合は通過しない。２１６は、レベル調整用フェーダである。上記Fader１２３により、フェーダ２１６を通過する音響信号のレベルが制御される。２１８は、音響信号のステレオ定位を調整するPAN調整部である。上記PAN１２１により、モノラルの音響信号のステレオバス（STバス）のＬ側バスへの供給レベルと、同信号の同Ｒ側バスへの供給レベルの間のバランスが制御される。PAN調整部２１８の出力は、STバスのＬ側バス及びＲ側バスに入力する。
【００４０】
また、オン／オフスイッチ２１５とフェーダ２１６との間から取り出された音響信号は、レベル調整部２１９を介して予備バス（AUXバス）に出力される。上記AUX１１９により、レベル調整部２１９を通過する音響信号のレベルが制御される。フェーダ２１６の後段から取り出された音響信号は、レベル調整部２２０を介して効果バス（FXバス）に出力される。上記EF１２０により、レベル調整部２２０を通過する音響信号のレベルが制御される。
【００４１】
２３０はST入力ｃｈのブロック構成を示す。２３１は、ST入力ｃｈ用の入力端子を介して外部から入力したステレオＬＲのアナログ音響信号を増幅する増幅部である。上記GAIN１３３により、該増幅部２３１での増幅率（ゲイン）が制御される。２３２は、３バンドのイコライザ（EQ）である。上記HIGH１３５により音響信号の高域のレベルが、上記MID１３７により中域のレベルが、上記LOW１３８により低域のレベルが、それぞれ制御される。２３３は当該ST入力ｃｈの音響信号のオン／オフスイッチであって、上記ON_SW１４２がオンの場合はステレオＬＲのアナログ音響信号が通過し、オフの場合はここで阻止される。２３４はレベル調整用フェーダであり、当該フェーダ２３４を通過するステレオの音響信号のレベルが上記Fader１４３により制御される。２３５は、音響信号のステレオ定位を調整するバランス調整部である。上記BAL１４１により、当該バランス調整部２３５からSTバスのＬ側バスへ供給するステレオＬの音響信号と、同Ｒ側バスへ供給するステレオＲの音響信号の間のレベルバランスが調整される。
【００４２】
また、オン／オフスイッチ２３３とフェーダ２３４との間から取り出されたステレオＬＲの音響信号は、混合部２３６により混合されてモノラルの音響信号となり、レベル調整部２３７を介してAUXバスへ出力される。上記AUX１３９により、レベル調整部２３７を通過する音響信号のレベルが制御される。フェーダ２３４の後段から取り出されたステレオＬＲの音響信号は、混合部２３８により混合されてモノラルの音響信号となり、レベル調整部２３９を介してFXバスへ出力される。上記EF１４０により、レベル調整部２３９を通過する音響信号のレベルが制御される。
【００４３】
２５０−１と２５０−２は特別入力ｃｈのブロック構成を示す。２５１は、特別入力ｃｈ用の入力端子を介して外部から入力したステレオＬＲのアナログ音響信号を増幅する増幅部である。上記GAIN１５３により、該増幅部２５１での増幅率（ゲイン）が制御される。該増幅部２５１から出力されるアナログ音響信号は、デジタル回路ブロック２７０において、ステレオＬＲのデジタル音響信号に変換され、デジタル処理によりｃｈ効果が付与される（ｃｈ効果処理）。ｃｈ効果が付与されたデジタル音響信号は、ステレオＬＲのアナログ音響信号に変換された後、該デジタル回路ブロック２７０から特別入力ｃｈの回路ブロック２５０−２に戻される。２５２は当該特別入力ｃｈの音響信号のオン／オフスイッチであって、上記ON_SW１６２がオンの場合はステレオＬＲのアナログ音響信号が通過し、オフの場合はここで阻止される。２５３はレベル調整用フェーダであり、当該フェーダ２５３を通過するステレオの音響信号のレベルが上記Fader１６３により制御される。２５４は、音響信号のステレオ定位を調整するバランス調整部である。上記BAL１６１により、当該バランス調整部２５４からSTバスのＬ側バスへ供給するステレオＬの音響信号と、同Ｒ側バスへ供給するステレオＲの音響信号の間のレベルバランスが調整される。
【００４４】
また、オン／オフスイッチ２５２とフェーダ２５３との間から取り出されたステレオＬＲの音響信号は、混合部２５５により混合されてモノラルの音響信号となり、レベル調整部２５６を介してAUXバスへ出力される。上記AUX１５９により、レベル調整部２５６を通過する音響信号のレベルが制御される。フェーダ２５３の後段から取り出されたステレオＬＲの音響信号は、混合部２５７により混合されてモノラルの音響信号となり、レベル調整部２５８を介してFXバスへ出力される。上記EF１６０により、レベル調整部２５８を通過する音響信号のレベルが制御される。
【００４５】
２６０はEF入力ｃｈのブロック構成を示す。EF入力ｃｈには、デジタル回路ブロック２７０からシステム効果付与後のステレオＬＲのアナログ音響信号が入力する。２６１は当該入力ｃｈの音響信号のオン／オフスイッチであって、上記ON_SW１７２がオンの場合は該音響信号が通過し、オフの場合はここで阻止される。２６２はレベル調整用フェーダであり、当該フェーダを通過するステレオＬＲの音響信号のレベルが上記Fader１７３により制御される。該フェーダ２６２でレベル制御されたステレオＬＲの音響信号は、STバスのＬ側バス及びＲ側バスへそれぞれ出力される。また、オン／オフスイッチ２６１とフェーダ２６２との間から取り出されたステレオＬＲの音響信号は、混合部２６４により混合されてモノラルの音響信号となり、上記AUX１７１の操作位置に応じてレベル調整部２６５でレベル調整され、AUXバスに出力される。
【００４６】
デジタル回路ブロック２７０について説明する。ＡＤＣ（アナログ・デジタル変換器）２７１は、特別入力ｃｈのアナログ回路ブロックの増幅部２５１から出力されるステレオＬＲのアナログ音響信号を、ステレオＬＲのデジタル音響信号に変換する。ｃｈ効果処理２７２は、ＡＤＣ２７１から出力されるデジタル信号に対して各種のｃｈ効果を付与するデジタル信号処理を示す。ｃｈ効果処理２７４の信号処理は、上述の操作子１６４〜１６６，１５５〜１５８の各操作位置に応じてその動作が制御されるが、詳しくは図５で後述する。ｃｈ効果処理２７２でｃｈ効果が付与されたステレオＬＲの音響信号は、ＤＡＣ（デジタル・アナログ変換器）２７５でステレオＬＲのアナログ音響信号に変換され、特別入力ｃｈのアナログ回路ブロックのオン／オフスイッチ２５２に出力される。ＡＤＣ２７３は、FXバスからのモノラルのアナログ音響信号をデジタル音響信号に変換する。ＡＤＣ２７３から出力されるモノラルのデジタル音響信号に対して、デジタル処理であるシステム効果処理２７４によりシステム効果が付与され、ステレオＬＲのデジタル音響信号が出力される。このシステム効果処理２７４は、つまみ１８６で選択された種類に応じた処理アルゴリズム（マイクロプログラム）と、つまみ１８６で選択された種類とつまみ１８７で設定されたパラメータとに対応した複数の係数とに基づいて実行される。システム効果処理２７４から出力されたステレオＬＲのデジタル音響信号は、ＤＡＣ２７５でアナログ音響信号に変換され、アナログ回路ブロックのEF入力ｃｈのオン／オフスイッチ２６１に出力される。
【００４７】
２８０はST出力ｃｈのブロック構成を示す。ST出力ｃｈには、STバスからステレオＬＲのアナログ音響信号が入力する。２８１は、ST出力ｃｈの音響信号のオン／オフスイッチであり、上記ON_SW１８１がオンの場合は該音響信号が通過し、オフの場合はここで阻止される。２８２はレベル調整用フェーダであり、オン／オフスイッチ２８１を通過したステレオＬＲの音響信号は、ここで上記Fader１８２の位置に応じたレベルに制御され、ステレオ出力端子を介して外部へ出力される。
【００４８】
２９０はAUX出力ｃｈのブロック構成を示す。AUX出力ｃｈには、AUXバスからモノラルのアナログ音響信号が入力する。２９１は、レベル調整用フェーダであり、入力したモノラルのアナログ音響信号は、ここで上記つまみ１８３の位置に応じたレベルに制御され、AUX出力端子を介して外部へ出力される。
【００４９】
図３は、操作パネルの裏側に配置された１枚のプリント基板（アナログ基板）上における３種類の入力ｃｈの各ブロックに対応する電子回路の実装面積の概要と、操作パネル上のつまみ及びスイッチとの対応関係を示す。このプリント基板には、図２のアナログ回路ブロックを実装したものであって、図１で説明したMono入力ｃｈストリップ１０１−１〜１０１−ｎの下には、対応するｎ個のMono入力ｃｈのアナログ回路が、ST入力ｃｈストリップ１０３の下には、対応するST入力ｃｈのアナログ回路が、また、特別入力ｃｈストリップ１０５の下には、対応する特別入力ｃｈのアナログ回路がそれぞれ配置されている。図３（ａ）はMono入力ｃｈストリップ１０１−１、図３（ｂ）は、ST入力ｃｈストリップ１０３、図３（ｃ）は特別入力ｃｈストリップ１０７に、それぞれ、対応するプリント基板上の各回路ブロックの実装面積の概要を示す。各回路ブロックの右側には、当該回路ブロックに搭載される操作子（付番は図１と同じ）を示す。これらのアナログの各回路ブロックは、オペアンプ等のアナログ集積回路、トランジスタ、コンデンサ、コイル、ダイオード等のアナログ部品によって、プリント基板上に構成される。なお、図３ではファンタム電源回路については省略した。
【００５０】
図３（ａ）のMono入力ｃｈにおいて、３０１は図２のPad回路２１１とヘッドアンプ２１２の実装範囲であり、ここには図１で説明したスイッチ１１２とつまみ１１３の可変抵抗器とを含むPad回路及びヘッドアンプ回路が配置されている。３０２は図２のComp部２１３の実装範囲であり、ここにはつまみ１１４の可変抵抗器を含むコンプレッサ回路が配置されている。３０３は図２のEQ部２１４の実装範囲であり、ここにはつまみ１１５〜１１８の可変抵抗器を含むイコライザ回路が配置されている。３０４は図２のON_SW２１５からレベル調整部２２０の実装範囲であり、ここにはつまみ１１９〜１２１の可変抵抗器とスイッチ１２２（つまみを含む本体）とフェーダ１２３（同本体）とを含む各種バスへのセンド回路が配置されている。
【００５１】
図３（ｂ）のST入力ｃｈにおいて、３１１は図２の増幅部２３１の実装範囲であり、ここには図１で説明したつまみ１３３の可変抵抗器を含む増幅回路が配置されている。３１２は図２のEQ部２３２の実装範囲であり、ここにはつまみ１３５〜１３８の可変抵抗器を含むイコライザ回路が配置されている。３１３は図２のON_SW２３３からレベル調整部２３９の実装範囲であり、ここにはつまみ１３９〜１４１の可変抵抗器とスイッチ１４２（つまみを含む本体）とフェーダ１４３（同本体）とを含む各種バスへのセンド回路が配置されている。
【００５２】
ST入力ｃｈのEQ部の実装範囲３１２は、Mono入力ｃｈのEQ部の実装範囲３０３より大きな面積をとっている。これは、ステレオのＬＲの信号を処理するために、回路素子が、モノラル信号を処理する回路に比べてほぼ２倍必要になるためである。一方、操作パネル上で、ST入力ｃｈストリップの面積をMono入力ｃｈストリップの面積よりも大きく取ると、デザイン的に良くないし操作上もユーザにとって使いにくくなる場合があるので、同程度の面積としたい。操作パネル上でｃｈストリップを同程度の面積とすると、操作パネルの裏側に配置されるプリント基板上でもそれぞれに対応する回路の実装範囲を同程度の面積とせざるを得ない。従って、ST入力ｃｈの回路の範囲には、高密度で回路素子を実装しなければならず、Mono入力ｃｈよりも機能を削って回路素子を減らすことも行われる。本実施形態のミキサでは、Mono入力ｃｈはコンプレッサを備えイコライザは中域が周波数範囲可変のものとしているのに対し、ST入力ｃｈはコンプレッサを備えておらずイコライザの中域は基準周波数固定のものとしているのは、上記理由による。
【００５３】
図３（ｃ）の特別入力ｃｈにおいて、３２１は図２の増幅部２５１の実装範囲であり、ここには図１で説明したつまみ１５３の可変抵抗器を含む増幅回路が配置されている。３２５は図２のON_SW２５２からレベル調整部２５８の実装範囲であり、ここにはつまみ１５９〜１６１の可変抵抗器とスイッチ１６２（つまみを含む本体）とフェーダ１６３（同本体）とを含む各種バスへのセンド回路が配置されている。実装範囲３２２と３２４には、それぞれケーブルが接続されるコネクタが配置される。図２のデジタル回路ブロック２７０は、上記アナログ基板とは別の１枚のプリント基板（デジタル基板）に実装されており、実装範囲３２２のコネクタには、そのデジタル基板上のＡＤＣ２７１の回路へ、実装範囲３２１からのステレオＬＲのアナログ音響信号と、後述する第ｎ入力ｃｈの実装範囲３０４からのｋ信号と、アナログ基板上のFXバスの実装範囲（図示せず）からのモノラルのアナログ音響信号とを送るケーブル（複数の接続線を含む）が接続される。また、実装範囲３２４のコネクタには、そのデジタル基板上のＤＡＣ２７５の回路からの２組のステレオＬＲのアナログ音響信号（アナログ基板上の実装範囲３２５向け、及び、EF入力ｃｈ２６０の実装範囲向け）を受けるケーブルが接続される。なお、これら単方向の２ケーブル及び２コネクタを一体にして、双方向の１ケーブル及び１コネクタとして実装しても良い。
【００５４】
３２３は、スイッチ１６４〜１６６のスイッチと、つまみ１５５〜１５８の可変抵抗器と、それらスイッチ及び可変抵抗器のスキャン用パターン（配線）と、ケーブルが接続されるコネクタとが配置される。このスキャン用パターンは、図示しない別の実装範囲に配置されたシステム効果用つまみ１８６、１８７の可変抵抗器にも接続されている。そして、このコネクタには、スキャン用パターン（配線）を、後述するデジタル回路ブロックに搭載される信号処理用ＬＳＩ（大規模集積回路）に備えられた操作子Ｉ／Ｏに接続するためのケーブルが接続される。スイッチ１６４〜１６６のスイッチとつまみ１５５〜１５８、１８６、１８７の可変抵抗器は、該ＬＳＩからスキャン用パターンに供給されるスキャン信号により順次スキャンされ、その結果、各状態を示す状態信号が該ＬＳＩに取り込まれる。このように、操作パネルの裏側には、スイッチ、可変抵抗器、スキャン用パターン、及びコネクタが配置されているだけであり、（Mono入力ｃｈのCOMPやEQのように）効果付与のためのアナログ信号処理を行う回路素子は実装されていない。その一方で、特別入力ｃｈでのｃｈ効果処理は、従来のデジタルエフェクタとして利用していたＤＳＰの余力を用いてデジタル処理で行うことができるので、高度で複雑なｃｈ効果の付与も可能である。
【００５５】
図４は、デジタル回路ブロックを実装したデジタル基板の詳細な構成を示す。本実施形態では、操作パネルの裏面に配置できるプリント基板の面積不足により、このデジタル回路ブロック４００を、アナログ回路ブロックのプリント基板とは別のプリント基板上に配置したが、折り曲げが可能なフレキシブル基板を使用する等によって、デジタル回路ブロック４００内の一部あるいは全部をアナログ回路ブロックのプリント基板上に配置してもよい。なお、デジタル回路ブロック４００内では時分割で処理が実行され、各ｃｈやバスとの間の信号の入出力は、それぞれ時分割処理の所定のタイミングで実行される。
【００５６】
ＡＤＣ４０２は、図２のＡＤＣ２７１、２７３の機能を実現するアナログ・デジタル変換ＩＣ（ＡＤＣ集積回路）を含むアナログ・デジタル変換部である。コネクタ４０１に接続されたケーブルを介して、アナログ基板の実装範囲３２１からのステレオＬＲのアナログ音響信号と、FXバスの実装範囲からのモノラルのアナログ音響信号とがＡＤＣ４０２に供給され、それぞれデジタル音響信号に変換される。ＤＡＣ４０６は、図２のＤＡＣ２７５の機能を実現するデジタル・アナログ変換ＩＣ（ＤＡＣ集積回路）を含むデジタル・アナログ変換部である。コネクタ４０７に接続されたケーブルを介して、ＤＡＣ４０６から出力される２組のステレオＬＲのアナログ音響信号が、アナログ基板の実装範囲３２５と、EF入力ｃｈ２６０の実装範囲とに供給される。なお、これら単方向の２ケーブル及び２コネクタを一体にして、双方向の１ケーブル及び１コネクタとしても良い。
【００５７】
４０３は、１チップの半導体素子である信号処理用ＬＳＩを示す。このＬＳＩ４０３の内部には、ＣＰＵ４３１、ＤＳＰ４３２、操作子Ｉ／Ｏ４３３、タイマ４３４、メモリＩ／Ｏ４３５、波形Ｉ／Ｏ４３６，４３７を備える。４３８はこれら各部の必要な部分を相互に接続するバスラインである。ＣＰＵ４３１は、本信号処理用ＬＳＩの全体の動作を制御する処理装置である。ＤＳＰ４３２は、波形Ｉ／Ｏ４３６を介してＡＤＣ４０２から入力したデジタル音響信号に各種の信号処理（図２のｃｈ効果処理２７２とシステム効果処理２７４）を施し、波形Ｉ／Ｏ４３７を介して処理後の信号をＤＡＣ４０６に出力する。ＤＳＰ４３２の信号処理（ｃｈ効果処理２７２、システム効果処理２７４）の内容は、ＣＰＵ４３１がＤＳＰ４３２に設定するマイクロプログラムと係数に応じて規定される。ＣＰＵ４３１は、操作子Ｉ／Ｏ４３３を用いて、操作子１６４〜１６６、１５５〜１５８のスイッチ乃至可変抵抗器を順次スキャンするスキャン信号を供給し、その結果、操作子１６４〜１６６、１５５〜１５８のスイッチ及び可変抵抗器から操作子Ｉ／Ｏ４３３に対し、スキャンされた操作子の状態を示す状態信号が出力される。各操作子の状態信号は、操作子Ｉ／Ｏ４３３において、その操作子の状態を示す操作子データに変換され、ＣＰＵ４３１に供給される。ここで、スイッチ１６４〜１６６の操作子データは、オンオフ状態や位置を示すデータであり、つまみ１５５〜１５８の操作子データは、つまみの位置を示すデータである。ＣＰＵ４３１は、操作子１６４〜１６６、１５５〜１５８の操作子データに応じて、ＤＳＰ４３２に対し、ｃｈ効果処理２７２とシステム効果処理２７４のための複数のマイクロプログラム及び複数の係数を設定する。これにより、該操作子データに応じた信号処理が実現される。タイマ４３４は、ＤＳＰ４３２による信号処理のタイミングや、操作子Ｉ／Ｏ４３３による操作子の状態の検出タイミングを計測するための計時手段である。メモリＩ／Ｏ４３５は、ＲＯＭ（不揮発性メモリ）４０５等の外部メモリを接続するためのインターフェースである。ＲＯＭ４０５には、ＣＰＵ４３１が実行するプログラムや、ＤＳＰ４３２に設定するマイクロプログラムや係数など種々のデータが格納されている。このＬＳＩ４０３には、図示しないＲＡＭ（ランダムアクセスメモリ）も内蔵されているので、メモリＩ／Ｏ４３５に外部ＲＡＭを接続しなくても、ＣＰＵ４３１は内蔵ＲＡＭをワーク領域として使用しつつ上記プログラムを実行可能であり、また、ＤＳＰ４３２は内蔵ＲＡＭを遅延メモリとして使用しつつリバーブ等の信号処理を実行可能である。さらに、メモリＩ／Ｏ４３５にオプションとして外部ＲＡＭを接続すれば、その外部メモリをＣＰＵ４３１のワーク領域やＤＳＰ４３２の遅延メモリとして利用することもできる。
【００５８】
なお、信号処理用ＬＳＩ４０３は、特開２００７−２５８７８０に開示されている集積回路１０と基本的に同じものであるので、詳細に関しては、その公開公報を参照されたい。
【００５９】
図５は、上記デジタル回路ブロックで実行されるｃｈ効果処理（図２の２７２）の一例を示すブロック図である。コネクタ４０１を介して実装領域３２１から入力されたステレオＬＲのアナログ音響信号は、ＡＤＣ４０２によりステレオＬＲのデジタル音響信号に変換された後、初段のStereoImage５０１に入力する。該入力した音響信号は、５０１〜５０４の４ブロックで順次信号処理された後、ＤＡＣ４０６でステレオＬＲのアナログ音響信号に変換され、コネクタ４０７を介して実装領域３２５に出力される。なお、ここでの信号処理のブロック数は４であるが、ブロックの数は、これより多くても少なくてもよい。また、各ブロックで行われる処理内容についても、ここで示したものと異なっていてよい。
【００６０】
StereoImage５０１は、入力するステレオＬＲのデジタル音響信号に対し、３ポジションSW１６６の位置に応じて、ステレオ音像の幅の制御を施す処理である。３ポジションSW１６６が位置１（STEREO）にセットされている場合は、入力したＬ側音響信号をそのまま出力のＬ側に、入力したＲ側音響信号をそのまま出力のＲ側に、それぞれ出力する。３ポジションSW１６６が位置２（BLEND）にセットされている場合は、入力したＬ側音響信号とＲ側音響信号をブレンドした音響信号を出力する。すなわち、Ｌ側出力には入力したＬ側音響信号を多めにブレンドした音響信号を出力し、Ｒ側出力には入力したＲ側音響信号を多めにブレンドした音響信号を出力する。３ポジションSW１６６が位置３（MONO）にセットされている場合は、入力したＬ側音響信号とＲ側音響信号を同じ比率で混合してモノラル化した音響信号を、Ｌ側とＲ側に出力する。
【００６１】
Leveler５０２は、入力するステレオＬＲのデジタル音響信号のレベルが所定の閾値を超えたとき、該入力信号の音量を、前記閾値を超えていない場合に比較して一定量減衰させる処理である。これは、入力信号のレベルが、各入力信号毎にばらつくのを防ぐための処理である。レベラーのオン／オフを行うleveler_SW１６５がオンのとき、当該デジタル処理が実行され、オフのときには、入力信号がそのまま出力される。実行される処理は、入力信号からのレベルの検出、検出されたレベルと所定の閾値との比較、その比較結果に応じた、減衰量の立ち上げ及び立ち下げの制御（速度制御を含む）である。何れの速度も遅めであり、減衰量の変化には数秒から数十秒かかるように処理される。なお、本実施形態では、減衰量を２段階（減衰なし、または、所定量）で切り替えているが、閾値及び減衰量を２つ以上用意して３段階以上の切り替えを行っても良い。
【００６２】
Ducker５０３は、Mono入力ｃｈからのk信号（キー信号）のレベルが所定の閾値を超えたとき、入力するステレオＬＲのデジタル音響信号の音量を、前記閾値を超えていない場合に比較して一定量減衰させて出力する処理である。ダッカーのオン／オフをおこなうDucker_SW１６４がオンのとき、当該デジタル処理が実行され、オフのときには、入力信号がそのまま出力される。ｋ信号は所定の１つのMono入力ｃｈ（ここでは第ｎ入力ｃｈ）から取り出されたアナログ音響信号である。図２では、Mono入力ｃｈ２１０の位置２１７からk信号を取り出し、ＡＤＣ２７１に入力させている。デジタル回路ブロックでは、該k信号をＡＤＣ２７１でアナログデジタル変換してデジタル処理でそのレベル値を求め、上記所定の閾値との比較に用いる。Ducker５０３で行っている処理は、レベル検出の対象がｋ信号である点を除き、上記Levelerと同じである。ただし、立ち上がり及び立ち下がりの速度はLevelerより速く、また、立ち上がり速度は立ち下がり速度より速い。ｋ信号が閾値を超えたら遅れることなく（例えば１秒以内）所定量の減衰を行い、閾値を下回ったら遅れることなく（例えば数秒以内）該減衰を解除する。
【００６３】
EQ５０４は、Mono入力ｃｈで１つのアナログ信号に対して行われているのと同等の３バンドEQ処理を、ステレオＬＲの２つのデジタル音響信号に対して施すデジタル処理である。４つのつまみ１５５〜１５８で周波数特性が制御される。つまみ（HIGH）１５５で高域のレベルを制御でき、つまみ（MID_f）１５６で中域の周波数範囲を上下に移動することができ（高域と低域の各周波数範囲は固定）、つまみ（MID）１５７で中域のレベルを制御することができ、つまみ（LOW）１５８で低域のレベルを制御できる。Mono入力ｃｈのEQと比較すると、内部的な処理はアナログとデジタルで異なるが、つまみはMono入力ｃｈのEQのつまみと同じなので、ユーザにも分かり易い。ST入力ｃｈのEQと比較すると、特別入力ｃｈのEQでは、中域の周波数範囲が可変であるので、アナログ処理のST入力ｃｈのEQでは実装できなかった高度・複雑な処理が実現できている。
【００６４】
なお、システム効果処理２７４は、リバーブ、エコー、コーラスなどの、アナログミキサ装置で従来より行われているデジタルエフェクトと同等のものである。上述したように、図１のつまみ１８６によりシステム効果の種類を選択し、つまみ１８７でそのシステム効果の代表的なパラメータを変更できる。
【００６５】
図６は、デジタル回路ブロックのＣＰＵ４３１のメイン処理の流れを示す。電源オン後、ステップ６０１で初期化処理を行う。ここでＣＰＵ４３１は、操作子１６４〜１６６、１５５〜１５８の状態を検出し、それに応じて、ＤＳＰ４３２に、ｃｈ効果処理とシステム効果処理を実行させるためのマイクロプログラムと係数とを初期設定する。設定されるｃｈ効果処理のマイクロプログラムは、操作子の状態によらないが、システム効果処理のマイクロプログラムはつまみ１８６の位置に応じて変更される。また、設定される係数は、操作子の状態に応じた値を有する。次に、ステップ６０２で操作子Ｉ／Ｏ４３３によりつまみ１５５〜１５８とスイッチ１６４〜１６６のユーザ操作（操作子の状態の変化）を検出する。ステップ６０３で操作があれば、ステップ６０４で該操作に応じた操作イベント処理を行う。これは検出した操作に応じてＤＳＰ４３２の設定を変更する処理である。例えば、スイッチ１６５のオン／オフ操作に応じて、Leveler５０２の実行／スルーが設定され、つまみ１５５の増減操作に応じて、EQ５０４の高域のレベルを制御する係数値が増減される。また、つまみ１８６の操作に応じて、システム効果処理のマイクロプログラムと係数値が変更され、つまみ１８７の操作に応じて、システム効果処理の一部の係数値が変更される。次にステップ６０５で所定時間が経過したか判定し、経過していたときは、ステップ６０６で周期的処理を行う。例えば、コーラス効果のため、低周波の変調波形を発生させ、その変調波形に応じて係数を時間的に変化させる処理や、ダッカーやレベラー効果のため、ＤＳＰ４３２から音響信号のレベルを読み出して、そのレベルに応じて減衰量を変化させる処理などを行うものである。
【００６６】
なお、上記実施形態では、ST入力ｃｈと特別入力ｃｈとが１つずつ設けられているが、それぞれ、任意の数設けるようにしてもよい。また、図５に示した特別入力ｃｈの４ブロックからなるｃｈ効果処理は一例にすぎず、自由に変更してよい。ブロック数が４ブロックである必要は無く、１ブロックで高度な処理を行わせてもよく、逆に、５ブロック以上としてもよい。高度処理の例としては、ダイナミクス（compressor,leveler,ducker）として、マルチバンドコンプレッサの処理を行うようにしてもよい。あるいは、イコライザとして、４バンド以上のイコライザの処理を行うようにしてもよい。ただし、アナログ信号で処理する代わりに、デジタル信号に変換して信号処理を行っているのであるから、アナログ信号のままでは行えなかった処理（実装できなかった処理）を行うようにするのが望ましい。
【符号の説明】
【００６７】
１００…操作パネル、１０１−１〜１０１−ｎ…Mono入力ｃｈストリップ、１０３…ST入力ｃｈストリップ、１０５…特別入力ｃｈストリップ、１０７…EF入力ｃｈストリップ。
【図１】
0005900788.tif 000002
【図２】
0005900788.tif 000003
【図３】
0005900788.tif 000004
【図４】
0005900788.tif 000005
【図５】
0005900788.tif 000006
【図６】
0005900788.tif 000007